(57)【要約】【課題】  遊技機に好適な表示装置を提供する。【解決手段】  液晶表示パネルＰＮＬを照明するバックライトを構成する導光板ＧＬＢに印刷するドット印刷膜ＤＯＴを液晶表示パネルＰＮＬの表示領域に対峙する窓枠部対応領域ＷＮＲと透過領域に対峙する透過部対応領域ＣＮＲの内縁近傍で高密度とした。【選択図】        図４
2005058754.tif 000002
【特許請求の範囲】
【請求項１】
窓枠状の画像表示領域と、該窓枠状の画像表示領域の内側に透過領域を有する液晶表示パネルと、  前記液晶表示パネルの背面に設置して該液晶表示パネルを照明するバックライトを備える液晶表示装置であって、
前記バックライトは、前記液晶表示パネルの背面に配置された導光板と、該導光板の少なくとも一つの側縁に近接して設置された光源を有し、
前記導光板は、前記液晶表示パネルが配置されている反対側の面の、前記液晶表示パネルの前記透過領域に対向する透過対応領域を除く画像表示対応領域に、前記光源からの光を該液晶表示パネル方向に指向させる光反射処理部を有し、
前記導光板の前記透過対応領域に近接する前記画像表示対応領域の光反射処理部の光反射率と、それ以外の前記画像表示対応領域の反射処理部の光反射率とが異なることを特徴とする液晶表示装置。
【請求項２】
前記導光板の前記透過対応領域に近接する前記画像表示対応領域の光反射処理部の光反射率が、それ以外の前記画像表示対応領域の光反射処理部の光反射率より大であることを特徴とする請求項１の液晶表示装置。
【請求項３】
前記導光板の前記透過対応領域に近接する前記画像表示対応領域の光反射処理部の光反射率が、それ以外の前記画像表示領域の光反射処理部の光反射率より小であることを特徴とする請求項１に記載の液晶表示装置。
【請求項４】
前記反射処理部は光反射材の不連続印刷膜であり、前記導光板の前記透過対応領域に近接する前記画像表示対応領域の前記不連続印刷膜の単位面積あたりの数または印刷密度が、それ以外の前記画像表示対応領域の前記不連続印刷膜の単位面積あたりの数または印刷密度より大であることを特徴とする請求項１の液晶表示装置。
【請求項５】
前記導光板の前記透過対応領域に近接する前記画像表示対応領域に施される前記光反射処理部は光反射材のベタ印刷膜であり、それ以外の前記画像表示対応領域に施される前記光反射処理部は光反射材のドット印刷膜であることを特徴とする請求項１の液晶表示装置。
【請求項６】
前記光源は、前記導光板の一つの側縁のみに設置されており、
前記光源を設置した側縁に遠い側の前記透過対応領域に近接する前記画像表示対応領域に施される前記光反射材のベタ印刷膜の幅が、前記光源を配置した側縁から近い側の前記透過対応領域に近接する前記画像表示対応領域に施される光反射材のベタ印刷膜の幅より広いことを特徴とする請求項５の液晶表示装置。
【請求項７】
前記導光板の前記透過対応領域に近接する前記画像表示対応領域に施される前記光反射処理部は光反射材のベタ印刷膜であり、それ以外の前記画像表示対応領域に施される前記光反射処理部は光反射材のストライプ印刷膜であることを特徴とする請求項１の液晶表示装置。
【請求項８】
前記光源は、前記導光板の一つの側縁のみに設置されており、
前記光源を設置した側縁に遠い側の前記透過対応領域に近接する前記画像表示対応領域に施される前記光反射材のベタ印刷膜の幅が、前記光源を配置した側縁から近い側の前記透過対応領域に近接する前記画像表示対応領域に施される光反射材のベタ印刷膜の幅より広いことを特徴とする請求項７の液晶表示装置。
【請求項９】
前記反射処理部は前記導光板に成形した多数のシボからなり、前記導光板の前記透過対応領域に近接する前記画像表示対応領域に施される前記シボの単位面積あたりの成形数または成形密度が、それ以外の前記画像表示対応領域に施される前記シボの単位面積あたりの成形数または成形密度より大であることを特徴とする請求項１の液晶表示装置。
【請求項１０】
前記液晶表示パネルと、前記パックライトとの間には光学シートを有し、
前記光学シートは、前記透過領域に対向する領域に開口を有していることを特徴とする請求項１の液晶表示装置。
【請求項１１】
前記光学シートは、光拡散シートとプリズムシートとの積層体で構成されている請求項１０の液晶表示装置。
【請求項１２】
画像を表示する画像表示領域と、透過領域を有する液晶表示パネルと、
前記液晶表示パネルの背面に設置して該液晶表示パネルを照明するバックライトを備える液晶表示装置であって、
前記バックライトは、前記液晶表示パネルの背面に設置された導光板と、該導光板の少なくとも一つの側縁に設置された光源とを有し、
前記導光板は、前記液晶表示パネルが配置されている反対側の面の、前記液晶表示パネルの前記画像表示領域に対向した画像表示対応領域に、前記光源からの光を該液晶表示パネル方向に指向させる光反射処理部を有し、
前記導光板の前記透過対応領域に近接する前記画像表示対応領域の光反射処理部の光反射率と、それ以外の前記画像表示対応領域の光反射処理部の光反射率とが異なることを特徴とする液晶表示装置。
【請求項１３】
前記導光板の前記透過対応領域に近接する前記画像表示対応領域の光反射処理部の光反射率が、それ以外の前記画像表示対応領域の光反射処理部の光反射率より大であることを特徴とする請求項１２の液晶表示装置。
【請求項１４】
前記導光板の前記透過対応領域に近接する前記画像表示対応領域の光反射処理部の光反射率が、それ以外の前記画像表示対応領域の光反射処理部の光反射率より小であることを特徴とする請求項１２の液晶表示装置。
【請求項１５】
前記反射処理部は光反射材の不連続印刷膜であり、前記導光板の前記透過対応領域に近接する前記画像表示対応領域の前記不連続印刷膜の単位面積あたりの数または印刷密度が、それ以外の前記画像表示対応領域の前記不連続印刷膜の単位面積あたりの数または印刷密度より大であることを特徴とする請求項１２の液晶表示装置。
【請求項１６】
前記導光板の前記透過対応領域に近接する前記画像表示対応領域に施される前記光反射処理部は光反射材のベタ印刷膜であり、それ以外の前記画像表示対応領域に施される前記光反射処理部は光反射材のドット印刷膜であることを特徴とする請求項１２の液晶表示装置。
【請求項１７】
前記導光板の前記透過対応領域に近接する前記画像表示対応領域に施される前記光反射処理部は光反射材のベタ印刷膜であり、それ以外の前記画像表示対応領域に施される前記光反射処理部は光反射材のストライプ印刷膜であることを特徴とする請求項１２の液晶表示装置。
【請求項１８】
前記反射処理部は前記導光板に成形した多数のシボからなり、前記導光板の前記透過対応領域に近接する前記画像表示対応領域に施される前記シボの単位面積あたりの成形数または成形密度が、それ以外の前記画像表示対応領域に施される前記シボの単位面積あたりの成形数または成形密度より大であることを特徴とする請求項１２の液晶表示装置。
【請求項１９】
窓枠状の表示領域と、該窓枠状の表示領域の内側に透過領域を有する液晶表示パネルと、
前記液晶表示パネルの背面に設置して該液晶表示パネルを照明するバックライトを備える液晶表示装置であって、
前記液晶表示パネルは、前記透過領域に隣接する部分の前記窓枠状の表示領域の輝度と、それ以外の前記窓枠状の表示領域の輝度が異なることを特徴とする液晶表示装置。
【発明の詳細な説明】
【技術分野】
【０００１】
本発明は、液晶表示装置に関し、特にスロットマシーン型遊技機に好適な液晶表示装置に関する。
【背景技術】
【０００２】
スロットマシーン型遊技機は、その遊技者に対向する面の中央に、水平方向に回転軸が一致づけられた例えば３個の回転表示ドラムからなる回転表示ドラムユニットを有し、始動ボタンを押すことによりそれらが回転し、その後、各回転表示ドラムに対応する停止ボタンを押すことにより順次停止させるように構成されている。
【０００３】
そして、各回転表示ドラムの側面に描かれた数字、記号、図柄等がたとえば一致して停止した場合に当りとなり、多数のコインを獲得できるようになっている。そして、近年、回転表示ドラムの表面側にたとえば液晶表示パネル等で構成した表示装置を配置し、これに静止画像あるいは動画像を映像させることによって、遊技者の興趣をもたらすように構成されたものが知られている（特許文献１参照）。
【特許文献１】特開２０００−３５０８０５号公報
【発明の開示】
【発明が解決しようとする課題】
【０００４】
しかし、このように構成されたスロットマシーン型遊技機は、回転表示ドラムユニットに対して液晶表示パネルが比較的遠い位置に配置されているため、回転表示ドラムを注視してゲームを行なう場合に、 該液晶表示パネル上に表示される表示に意識がいかなくなるため、それらを遊技者に一体感をもたせることが困難であるといった不都合を有している。
【０００５】
液晶表示装置は、液晶表示パネルの背面にバックライトを設置して表示される静止画像あるいは動画像を可視化している。この種の液晶表示装置では、液晶表示パネルを照明するバックライトとして所謂サイドエッジ型が多く用いられている。サイドエッジ型のバックライトは、アクリル系樹脂等の透明材料で成形した導光板の側縁に近接させて冷陰極蛍光管やダイオードアレイなどの光源を設置し、この導光板の液晶表示パネル側に光拡散シートやプリズムシートからなる光学補償シートを積層して構成される。サイドエッジ型のバックライトでは、その導光板の背面（液晶表示パネルと反対側の面）に光源からの光を液晶表示パネル方向に反射させる光反射処理が施される。
【０００６】
スロットマシーン型遊技機などのように、液晶表示装置を構成する液晶表示パネルの背面に回転ドラムを設置するものでは、該液晶表示パネルに窓枠状の表示領域と該表示領域の内側に透過領域を形成し、この透過領域を透して回転ドラムが見えるようにしている。そのため、導光板の液晶表示パネルの透過領域に対向する領域には光反射材のドット印刷膜（あるいは、ストライプ印刷膜、シボ成形加工など）の光反射処理を施さない。
【０００７】
しかし、導光板の液晶表示パネルの透過領域に対向する領域にドット印刷膜（不連続印刷膜：円形状や多角形状、あるいはストライプ状等を含む）等からなる光反射処理を有しないため、当該透過領域の周り、すなわち表示領域の透過領域との境界近傍には光源からの光の反射量が少なく、表示領域と比較して輝度が低くなってしまう。すなわち、透過領域の周囲が暗くなる。また、光源の配置との関係で透過領域の周囲に輝度むらが生じる。その結果、表示領域と透過領域の境界が明瞭でなくなり、表示される画像などによるエンターテイメント効果が減少してしまう。
【０００８】
本発明は、このような事情に基づいてなされたもので、その目的は、遊技機に好適な表示装置を提供することにある。
【課題を解決するための手段】
【０００９】
上記目的は、液晶表示パネルの透過領域に隣接する前記窓枠状の表示領域の内縁近傍の輝度と該表示領域の輝度を大きく異ならせることによって達成される。本願において開示される発明のうち、代表的なものの概要を簡単に説明すれば、以下のとおりである。
【００１０】
本発明の一実施態様によれば、窓枠状の画像表示領域と、該窓枠状の画像表示領域の内側に透過領域を有する液晶表示パネルと、前記液晶表示パネルの背面に設置して該液晶表示パネルを照明するバックライトを備える液晶表示装置であって、前記バックライトは、前記液晶表示パネルの背面に配置された導光板と、該導光板の少なくとも一つの側縁に近接して設置された光源とを有し、前記導光板は、前記液晶表示パネルが配置されている反対側の面の、前記液晶表示パネルの前記透過領域に対向する透過対応領域を除く画像表示対応領域に、前記光源からの光を該液晶表示パネル方向に指向させる光反射処理部を有し、前記導光板の前記透過対応領域に近接する前記画像表示対応領域の光反射処理部の光反射率と、それ以外の前記画像表示対応領域の反射処理部の光反射率とが異なる、というものである。
【００１１】
さらには、前記導光板の前記透過対応領域に近接する前記画像表示対応領域の光反射処理部の光反射率が、それ以外の前記画像表示対応領域の反射処理部の光反射率より大である、というものである。
【００１２】
または、前記導光板の前記透過対応領域に近接する前記画像表示対応領域の光反射処理部の光反射率が、それ以外の前記画像表示領域の反射処理部の光反射率より小である、というものである。
【００１３】
本発明の別の実施態様によれば、画像を表示する画像表示領域と、透過領域を有する液晶表示パネルと、前記液晶表示パネルの背面に設置して該液晶表示パネルを照明するバックライトを備える液晶表示装置であって、前記バックライトは、前記液晶表示パネルの背面に設置された導光板と、該導光板の少なくとも一つの側縁に設置された光源とを有し、前記導光板は、前記液晶表示パネルが配置されている反対側の面の、前記液晶表示パネルの前記画像表示領域に対向した画像表示対応領域に、前記光源からの光を該液晶表示パネル方向に指向させる光反射処理部を有し、前記導光板の前記透過対応領域に近接する前記画像表示対応領域の光反射処理部の光反射率と、それ以外の前記画像表示対応領域の反射処理部の光反射率とが異なる、というものである。この実施態様は、画像を表示する画像表示領域に囲われるようにして透過領域が形成される形態以外にも、液晶表示パネルの周辺に沿って透過領域が形成されている場合も本発明を適用し得ることを示すものである。
【００１４】
さらには、前記導光板の前記透過対応領域に近接する前記画像表示対応領域の光反射処理部の光反射率が、それ以外の前記画像表示対応領域の反射処理部の光反射率より大である、というものである。
【００１５】
または、前記導光板の前記透過対応領域に近接する前記画像表示対応領域の光反射処理部の光反射率が、それ以外の前記画像表示対応領域の反射処理部の光反射率より小である、というものである。
【００１６】
本発明のさらに別の実施態様によれば、窓枠状の表示領域と、該窓枠状の表示領域の内側に透過領域を有する液晶表示パネルと、前記液晶表示パネルの背面に設置して該液晶表示パネルを照明するバックライトを備える液晶表示装置であって、前記液晶表示パネルは、前記透過領域に隣接する部分の前記窓枠状の表示領域の輝度と、それ以外の前記窓枠状の表示領域の輝度が異なる、というものである。
【００１７】
なお、本発明は以上の構成に限定されず、本発明の技術思想を逸脱しない範囲で種々の変更が可能である。
【発明の効果】
【００１８】
以上説明した本発明によれば、透過領域との境界における表示領域の輝度が高くなって表示領域と透過領域の境界が明瞭となり、表示領域に表示される画像などによるエンターテイメント効果が大幅に向上した遊技機等に好適な液晶表示装置を提供することができる。
【発明を実施するための最良の形態】
【００１９】
以下、本発明による液晶表示装置の各実施例を図面を用いて説明する。先ず、本発明に係るスロットマシーンの構成例を説明する。
【００２０】
図１は、スロットマシーンの要部構成例を説明する模式図である。このスロットマシーンは、液晶表示パネルＰＮＬとバックライトを一体化した液晶表示装置ＭＤＬと、この液晶表示装置ＭＤＬの背面に設置した回転表示ドラムユニットＤＲＭＵを有する。この種のスロットマシーンでは、通常、回転表示ドラムユニットＤＲＭＵは共通の回転軸の周りで独立に回転する３個の回転表示ドラムＤＲＭ１、ＤＲＭ２、ＤＲＭ３から構成される。各回転表示ドラムＤＲＭ１、ＤＲＭ２、ＤＲＭ３の表面には数字や記号あるいは図柄が描かれている。
【００２１】
液晶表示装置ＭＤＬは回転表示ドラムユニットＤＲＭＵの前面に配置されている。この回転表示ドラムユニットＤＲＭＵに対向して、液晶表示装置ＭＤＬの一部が高透過領域ＴＲＡとなっており、回転表示ドラムユニットＤＲＭＵを構成する各回転表示ドラムＤＲＭ１、ＤＲＭ２、ＤＲＭ３に描かれている文字や数字あるいは図柄の視認性を向上させている。そして、高透過領域ＴＲＡの周りの窓枠部は表示領域ＤＡＲとなっている。
【００２２】
図２は、図１に示した液晶表示装置ＭＤＬと回転表示ドラムユニットＤＲＭＵの配置図である。また、図３は、図２におけるバックライトを構成する導光板の模式断面図である。図２に示したバックライトＢＬは導光板ＧＬＢとこの導光板ＧＬＢの上下側縁に沿って近接配置された線状光源ＣＦＬ１とＣＦＬ２、および光学補償シートＯＰＳから構成される。光源ＣＦＬ１とＣＦＬ２としては冷陰極蛍光管を用いたものとしてあるが、ＬＥＤ光源のようなダイオードアレイであってもよい。また、この光源は後述する実施例に示したように導光板ＧＬＢの一方の側縁にのみ配置してもよい。さらに、その設置本数も側縁毎に２本以上とすることもできる。
【００２３】
光学補償シートＯＰＳは拡散シートとプリズムシートの積層体であり、導光板ＧＬＢの液晶表示パネルＰＮＬ側に積層されている。導光板ＧＬＢは液晶表示パネルＰＮＬの高透過領域ＴＲＡに対向する部分に透過部対応領域ＣＮＲを有し、その周りに窓枠部対応領域ＷＮＲを有する。窓枠部対応領域ＷＮＲは、液晶表示パネルＰＮＬの画像を表示する部分に対向しているので、画像表示対応領域と呼ぶ場合もある。そして、光学補償シートＯＰＳには、導光板ＧＬＢの透過部対応領域ＣＮＲに対応した部分を開口して、回転表示ドラムユニットＤＲＭＵの各回転表示ドラムの表面に描かれた文字や数字あるいは図柄の光像を液晶表面パネルＰＮＬを通して視認できるように構成されている。
【００２４】
図３の断面図は、例えば図２における線状光源ＣＦＬ１とＣＦＬ２を結ぶ線に沿って切断したものである。導光板ＧＬＢの窓枠部対応領域ＷＮＲの背面、すなわち液晶表面パネルＰＮＬと反対側の面には、光源ＣＦＬ１とＣＦＬ２から入射する光を矢印で示したように液晶表示パネルＰＮＬ側に反射させるための白色ドットＤＯＴが印刷されている。これをドット印刷膜とも称する。このドット印刷膜ＤＯＴは透過部対応領域ＣＮＲには施されていない。図３では、光源ＣＦＬ２からの入射光の反射のみ図示してあるが、光源ＣＦＬ１からの入射光についても同様である。
【実施例１】
【００２５】
図４は、本発明に係る液晶表示装置の実施例１のバックライトを構成する導光板の背面図であり、光源ＣＦＬ１とＣＦＬ２と共に示す。本実施例では、導光板ＧＬＢの中央部付近には透過部対応領域ＣＮＲが設けてあり、この透過部対応領域ＣＮＲを除いた窓枠部対応領域ＮＲに光反射処理が施されて光反射処理部が構成されている。本実施例では、透過部対応領域ＣＮＲの周囲の窓枠部対応領域ＷＮＲにドット印刷膜ＤＯＴが印刷されている。そして、透過部対応領域ＣＮＲの内周近傍のドット印刷膜の密度が窓枠部対応領域ＷＮＲのドット印刷膜より密に印刷されている。
【００２６】
このように、透過部対応領域ＣＮＲの内周近傍のドット印刷膜の密度を窓枠部対応領域ＷＮＲのドット印刷膜より密に印刷したことにより、透過部対応領域ＣＮＲの内周近傍の窓枠部対応領域ＷＮＲでの光反射量が大きくなる。その結果、図１に示した液晶表示パネルＰＮＬの額物部すなわち透過領域ＴＡＲの外周の輝度が高くなる。すなわち、隣接する前記窓枠状の表示領域ＤＡＲの内縁近傍の輝度と該表示領域ＤＡＲの輝度が透過領域ＴＡＲの輝度より大きくなる。したがって、透過領域の周囲に輝度むらが抑制され、表示領域ＤＡＲと透過領域ＴＡＲの境界が明瞭となり、表示される画像などによるエンターテイメント効果が向上する。尚、本実施例で輝度が異なるとは、輝度が５％以上異なることを意味し、このように輝度差をつければ効果があるというものである。
【実施例２】
【００２７】
図５は、本発明に係る液晶表示装置の実施例２のバックライトを構成する導光板の図４と同様の背面図である。本実施例では、導光板ＧＬＢの中央部付近に設けた透過部対応領域ＣＮＲを除いた窓枠部対応領域ＮＲに光反射処理が施されている。透過部対応領域ＣＮＲの周囲の窓枠部対応領域ＷＮＲにはドット印刷膜ＤＯＴが印刷されている。そして、透過部対応領域ＣＮＲの内周近傍には、ドット印刷膜ＤＯＴと同様の印刷材料のベタ印刷膜ＨＲが印刷されている。
【００２８】
このように、透過部対応領域ＣＮＲの内周近傍にベタ印刷膜ＨＲを設けたことにより、透過部対応領域ＣＮＲの内周近傍の窓枠部対応領域ＷＮＲでの光反射量が大きくなる。その結果、図１に示した液晶表示パネルＰＮＬの額物部すなわち透過領域ＴＡＲの外周の輝度が高くなる。すなわち、隣接する前記窓枠状の表示領域ＤＡＲの内縁近傍の輝度と該表示領域ＤＡＲの輝度が透過領域ＴＡＲの輝度より大きくなる。したがって、透過領域の周囲に輝度むらが抑制され、表示領域ＤＡＲと透過領域ＴＡＲの境界が明瞭となり、表示される画像などによるエンターテイメント効果が向上する。尚、本実施例で光反射率が異なるとは、２０％以上異なっておればさらに効果があるというものである。
〔実施例３〕
【００２９】
図６は、本発明に係る液晶表示装置の実施例３のバックライトを構成する導光板の説明図であり、図６（ａ）は背面図、図６（ｂ）は図６（ａ）のＹ−Ｙ’線に沿った断面図である。本実施例のバックライトは断面が楔状の導光板ＧＬＢを用いたもので、該導光板ＧＬＢの厚みの大な側の側縁一辺にのみに沿って光源ＣＦＬを設置している。そして、導光板ＧＬＢの中央部付近に設けた透過部対応領域ＣＮＲを除いた窓枠部対応領域ＮＲに光反射処理が施されている。透過部対応領域ＣＮＲの周囲の窓枠部対応領域ＷＮＲにはドット印刷膜ＤＯＴが印刷され、透過部対応領域ＣＮＲの内周近傍には、ドット印刷膜ＤＯＴと同様の印刷材料のベタ印刷膜ＨＲが印刷されている。
【００３０】
導光板ＧＬＢの一辺にのみ光源ＣＦＬを設置したものでは、該光源から遠ざかる程、導光板ＧＬＢの内部を伝播する光の量が減少する傾向にある。そのため、本実施例では、導光板ＧＬＢの光源ＣＦＬを設置した辺から遠い側に印刷するベタ印刷膜ＨＲの幅Ｗ２を光源ＣＦＬを設置した辺から近い側に印刷するベタ印刷膜ＨＲの幅Ｗ１よりも広くしてある。なお、このベタ印刷膜ＨＲの代わりに図４で説明した実施例と同様のドット印刷膜としてもよい。
【００３１】
このように、透過部対応領域ＣＮＲの内周近傍にベタ印刷膜ＨＲあるいは高密度ドット印刷膜を設けたことにより、透過部対応領域ＣＮＲの内周近傍の窓枠部対応領域ＷＮＲでの光反射量が大きくなる。その結果、図１に示した液晶表示パネルＰＮＬの額物部すなわち透過領域ＴＡＲの外周の輝度が高くなる。すなわち、隣接する前記窓枠状の表示領域ＤＡＲの内縁近傍の輝度と該表示領域ＤＡＲの輝度が透過領域ＴＡＲの輝度より大きくなる。したがって、透過領域の周囲に輝度むらが抑制され、表示領域ＤＡＲと透過領域ＴＡＲの境界が明瞭となり、表示される画像などによるエンターテイメント効果が向上する。
【００３２】
以上説明した各実施例では、導光板ＧＬＢの窓枠部対応領域ＷＮＲに設ける光反射処理膜をドット印刷膜としているが、このドット印刷膜は光源から導光板に入射する光の分布に対応した分布で印刷される。また、このドット印刷膜としては、同一面積のドットの密度分布に代えてドットの面積を変えたものとしてもよい。さらに、ドットの形状も円形状、多角形状、ストライプ形状等とすることもできる。なお、ドット印刷膜の代わりに、導光板に成形加工した、所謂シボとしてもよい。
【００３３】
図７は、本発明の各実施例で説明した導光板を用いたときの図１および図２の液晶表示パネルＰＮＬの面上における輝度の説明図である。図７における線ａは図２に示した光学補償シートＯＰＳを構成するプリズムシートを１枚として、このプリズムシートの上下に拡散シートを積層した場合、線ｂはプリズムシートを２枚として、２枚プリズムシートの上下に拡散シートを積層した場合の相対輝度特性を示す。なお、導光板の厚みは６ｍｍとした。
【００３４】
図７に示されたように、導光板ＧＬＢの透過部対応領域ＣＮＲに対峙する液晶表示パネルＰＮＬの表示領域ＴＡＲの輝度に対し、導光板ＧＬＢの窓枠部対応領域ＷＮＲに対峙する液晶表示パネルＰＮＬの表示領域ＤＡＲの輝度はプリズムシートの枚数が１枚の場合、２枚の場合共に大きく相違し、特に表示領域ＤＡＲの表示領域ＴＡＲ付近での輝度が特に大となっている。
【００３５】
これにより、透過領域ＴＡＲの周囲が明るくなり、表示領域ＤＡＲと透過領域ＴＡＲの境界が明瞭となり、表示領域ＤＡＲに表示される画像などによるエンターテイメント効果が向上する。
【００３６】
図８は、本発明に係る液晶表示装置の要部構成例をさら詳しく説明する透過領域ＴＡＲ近傍の断面図であり、図１に示した回転表示ユニットと共に示したものである。液晶表示パネルＰＮＬは第１の基板ＳＵＢ１と第２の基板ＳＵＢ２の貼り合わせ間隙に液晶層が封止されており、その両面に偏光板ＰＯＬ１、ＰＯＬ２がそれぞれ貼付されている。
【００３７】
一方、バックライトＢＬはアクリル板で成形した導光板ＧＬＢと、導光板ＧＬＢの液晶表示パネルＰＮＬ側に積層した光学補償シートＯＰＳ、および液晶表示パネルＰＮＬ側と反対側に設置した反射シートＲＦＳで構成されている。光学補償シートＯＰＳは１枚のプリズムシートＰＲＺの両面に第１の光拡散シートＳＣ１と第２の光拡散シートＳＣ２で構成されている。
【００３８】
液晶表示パネルＰＮＬの透過領域ＴＡＲに対峙する導光板ＧＬＢの透過領域対応領域ＣＮＲでは光学補償シートＯＰＳは欠如しており、導光板ＧＬＢの透過領域対応領域ＣＮＲの背面では反射シートＲＦＳが欠如している。そして、導光板ＧＬＢの窓枠部対応領域ＷＮＲの反対側（背面）には、前記した各実施例で説明したベタ印刷膜ＨＲ（または、高密度ドット印刷膜）とドット印刷膜ＤＯＴが形成されている。
【００３９】
液晶表示パネルＰＮＬの透過領域ＴＡＲに対峙する導光板ＧＬＢの透過領域対応領域ＣＮＲの背面には３個の回転表示ドラムＤＲＭ１、ＤＲＭ２、ＤＲＭ３からなる回転表示ドラムユニットＤＲＭが配置される。
【００４０】
図９は、本発明に係る液晶表示装置の要部構成例をさら詳しく説明する各構成部材の組立て構造例の断面図であり、ケース類やカバー類と共に示したものである。図８で説明したバックライトＢＬは上内部フレームＭＦ１と下内部フレームＭＦ２で保持されている。下内部フレームの内面に光反射性を有するか、あるいは内面に光反射シートを設置する（なお、下内部フレームは表面を光沢処理したアルミニウム等の金属材料で構成してもよい）。下内部フレームＭＦ２の中には、導光板ＧＬＢの側縁に近接して２本の冷陰極蛍光管ＣＦＬ１ａ、ＣＦＬ１ｂが設置されている。この冷陰極蛍光管ＣＦＬ１ａ、ＣＦＬ１ｂはケーブルＣＢＬを介して後述するインバータ電源回路から電力が供給される。
【００４１】
このバックライトＢＬの上に液晶表示パネルＰＮＬが積層され、さらに上フレームＵＰＦと下フレームＵＮＦに収納される。バックライトＢＬと液晶表示パネルＰＮＬ、上フレームＵＰＦの各間にはゴムクッションＧＣが介挿されて、所定の位置関係の保持と耐衝撃性を確保している。
【００４２】
この液晶表示装置は、リアカバーＲＣＲに収容され、液晶表示パネルＰＮＬ側にフロントカバーＦＴＣが蝶番ＨＧで開閉可能に設置されている。図８と同一参照符号は同一機能部分に対応する。
【００４３】
図１０は、本発明に係る液晶表示装置の要部構成例を模式的に説明する展開斜視図である。図１０における各部材の構成は図８および図９で説明したとおりであるが、形状は簡略化して示してある。導光板ＧＬＢの構成は図５で説明した実施例のものを採用している。導光板ＧＬＢは等厚の平板であり、光源といて導光板ＧＬＢの対向する２辺に各２本の冷陰極蛍光管ＣＦＬ１ａ，ＣＦＬ１ｂ、ＣＦＬ２ａ，ＣＦＬ２ｂが設置されている。
【００４４】
図１１は、本発明に係る液晶表示装置の全体形状例を説明する斜視図であり、回転表示ドラムユニットの設置側から見た背面を示す。この液晶表示装置ＭＤＬの構成は図８乃至図１０で説明したとおりである。そして、リアカバーの内部には、画像処理回路基板ＰＣＢ１、画像表示制御回路基板（所謂、Ｔｃｏｎ基板）ＰＣＢ２、スケーリング回路基板ＰＣＢ３、インバータ電源基板ＰＣＢ４が内蔵されている。画像処理回路基板ＰＣＢ１は液晶表示パネルＰＮＬの表示領域ＤＡＲに表示すべき画像信号の処理回路を、画像表示制御回路基板は画像処理回路からの画像信号に基づいた画像を液晶表示パネルＰＮＬに表示するための各種のタイミング信号の生成やシート信号処理を行う回路を搭載している。
【００４５】
スケーリング回路基板ＰＣＢ３は、少なくとも確率を確定する回路を搭載している。また、インバータ電源基板ＰＣＢ４は、バックライトＢＬを構成する光源に供給する高周波点灯電力を生成する電源回路を搭載している。
【００４６】
以上説明した各実施例の発明は単独で用いてもよく、また、各実施例の発明と併せ用いるようにしてもよいことはいうまでもない。
【図面の簡単な説明】
【００４７】
【図１】スロットマシーンの要部構成例を説明する模式図である。
【図２】図１に示した液晶表示装置と回転表示ドラムユニットの配置図である。
【図３】図２に示した導光板の機能を説明する模式断面図である。
【図４】本発明に係る液晶表示装置の実施例１のバックライトを構成する導光板の背面図である。
【図５】本発明に係る液晶表示装置の実施例２のバックライトを構成する導光板の図４と同様の背面図である。
【図６】本発明に係る液晶表示装置の実施例３のバックライトを構成する導光板の説明図である。
【図７】本発明の各実施例で説明した導光板を用いたときの図１および図２の液晶表示パネルの面上における輝度の説明図である。
【図８】本発明に係る液晶表示装置の要部構成例をさら詳しく説明する透過領域近傍の断面図である。
【図９】本発明に係る液晶表示装置の要部構成例をさら詳しく説明する各構成部材の組立て構造例の断面図である。
【図１０】本発明に係る液晶表示装置の要部構成例を模式的に説明する展開斜視図である。
【図１１】本発明に係る液晶表示装置の全体形状例を説明する斜視図である。
【符号の説明】
【００４８】
ＰＮＬ・・・液晶表示パネル、ＢＬ・・・・バックライト、ＭＤＬ・・・・液晶表示装置、ＤＲＭＵ・・・・回転表示ドラムユニット、ＤＲＭ１，ＤＲＭ２，ＤＲＭ３・・・・回転表示ドラム、ＧＬＢ・・・・導光板、ＣＦＬ，ＣＦＬ１（ＣＦＬ１，１ａ，１ｂ、ＣＦＬ２（ＣＦＬ２ａ，ＣＦＬ２ｂ）・・・・線状光源（光源）、ＯＰＳ・・・・光学補償シート、ＤＡＲ・・・・表示領域、ＴＡＲ・・・・透過領域、ＣＮＲ・・・・透過部対応領域、ＷＮＲ・・・・窓枠部対応領域、ＤＯＴ・・・・ドット印刷膜、ＨＲ・・・・ベタ印刷膜、ＲＦＳ・・・・反射シート、ＰＲＺ・・・・プリズムシート、ＳＣ１，ＳＣ２・・・・光拡散シート、ＭＦ１・・・・上内部フレーム、ＭＦ２・・・・下内部フレーム、ＣＢＬ・・・・ケーブル、ＰＣＢ１・・・・画像処理回路基板、ＰＣＢ２・・・・表示制御回路基板、ＰＣＢ３・・・・スケーリング回路基板、ＰＣＢ４・・・・インバータ電源基板。
【図１】
2005058754.tif 000003
【図２】
2005058754.tif 000004
【図３】
2005058754.tif 000005
【図４】
2005058754.tif 000006
【図５】
2005058754.tif 000007
【図６】
2005058754.tif 000008
【図７】
2005058754.tif 000009
【図８】
2005058754.tif 000010
【図９】
2005058754.tif 000011
【図１０】
2005058754.tif 000012
【図１１】
2005058754.tif 000013